(57)【要約】【課題】  服薬指導を患者等へ請求する料金の算定に反映することを容易に行なう。【解決手段】  情報通信端末１０は、服薬指導の内容を表すコメントを受理するコメント受理部１１６と、服薬指導についての料金を算定するための服薬指導料金算定用データを受理する料金算定用データ受理部１３２と、コメントが受理された後に、服薬指導料金算定用データに基づき料金を算定する料金算定装置へ服薬指導料金算定用データを送信する服薬指導料金算定用データ送信部１５０とを備える。コメント受理部１１６が手書きコメントを受理した後に、服薬指導料金算定用データ送信部１５０による服薬指導料金算定用データの送信が行なわれるので、服薬指導が行なわれた後に、料金算定装置による服薬指導料金の算定が行なわれる。よって、服薬指導を患者等へ請求する料金の算定に反映させることが容易に行える。【選択図】  図３
2005038163.tif 000002
【特許請求の範囲】
【請求項１】
服薬指導についての料金を算定するための服薬指導料金算定用データを受理する料金算定用データ受理手段と、
前記服薬指導料金算定用データに基づき料金を算定する料金算定装置へ前記服薬指導料金算定用データを送信する服薬指導料金算定用データ送信手段と、
を備えた情報通信装置。
【請求項２】
請求項１に記載の情報通信装置であって、
前記服薬指導の内容を表すコメントを受理するコメント受理手段を備え、
前記服薬指導料金算定用データ送信手段は、前記コメントが受理された後に、前記服薬指導料金算定用データを送信する、
情報通信装置。
【請求項３】
請求項２に記載の情報通信装置であって、
前記コメント受理手段は、手書きのコメントを受理する、
情報通信装置。
【請求項４】
請求項２に記載の情報通信装置であって、
前記服薬指導料金算定用データ送信装置は携帯可能な情報端末である、
情報通信装置。
【請求項５】
請求項１ないし４のいずれか一項に記載の情報通信装置であって、
服薬指導を行なう患者に関する患者情報を受信する患者情報受信手段と、
前記患者情報を表示器に表示させる患者情報表示手段と、
を備えた情報通信装置。
【請求項６】
請求項５に記載の情報通信装置であって、
前記患者情報は、前記患者についての処方内容である、
情報通信装置。
【請求項７】
請求項５に記載の情報通信装置であって、
前記患者情報は、前記患者が薬剤をどの時点でどれだけ服用したかを示す情報である、
情報通信装置。
【請求項８】
請求項７に記載の情報通信装置であって、
前記患者情報は、前記患者が薬剤を服用する形式を示す情報である、
情報通信装置。
【請求項９】
請求項５に記載の情報通信装置であって、
前記患者情報は、前記患者にどの時点でどのような服薬指導料の算定を行なったかを示す情報である、
情報通信装置。
【請求項１０】
請求項５に記載の情報通信装置であって、
前記患者情報は、前記患者について薬剤服用歴管理を行なっているか否かを示す情報である、
情報通信装置。
【請求項１１】
請求項５に記載の情報通信装置であって、
前記患者情報は、前記患者に問診することにより得られた問診情報である、
情報通信装置。
【請求項１２】
請求項１ないし４のいずれか一項に記載の情報通信装置であって、
服薬指導を行なう患者の患者属性を受信する患者属性受信手段と、
前記患者属性を表示器に表示させる患者属性表示手段と、
前記患者属性を指定する患者属性指定手段と、
を備えた情報通信装置。
【請求項１３】
請求項１２に記載の情報通信装置であって、
前記患者属性は、前記患者について、調剤を行なった時点である、
情報通信装置。
【請求項１４】
請求項１２に記載の情報通信装置であって、
前記患者属性は、前記患者について、服薬指導が行なわれたか否かを示す情報である、
情報通信装置。
【請求項１５】
請求項１２に記載の情報通信装置であって、
前記患者属性は、前記患者について、会計処理が行なわれたか否かを示す情報である、
情報通信装置。
【請求項１６】
請求項１２ないし１５のいずれか一項に記載の情報通信装置であって、
指定された前記患者属性に合致する患者リストを受信する患者リスト受信手段と、
前記患者リストを表示器に表示させる患者リスト表示手段と、
を備えた情報通信装置。
【請求項１７】
請求項１６に記載の情報通信装置であって、
前記患者リストは、患者の氏名、患者が診療を受けた医療機関、服薬指導が行なわれたか否かを示す情報および会計処理が行なわれたか否かを示す情報のいずれか一つ以上を表すものである、
情報通信装置。
【請求項１８】
服薬指導についての料金を算定するための服薬指導料金算定用データを受理する料金算定用データ受理工程と、
前記服薬指導料金算定用データに基づき料金を算定する料金算定装置へ前記服薬指導料金算定用データを送信する服薬指導料金算定用データ送信工程と、
を備えた情報通信方法。
【請求項１９】
服薬指導についての料金を算定するための服薬指導料金算定用データを受理する料金算定用データ受理処理と、
前記服薬指導料金算定用データに基づき料金を算定する料金算定装置へ前記服薬指導料金算定用データを送信する服薬指導料金算定用データ送信処理と、
をコンピュータに実行させるためのプログラム。
【請求項２０】
服薬指導についての料金を算定するための服薬指導料金算定用データを受理する料金算定用データ受理処理と、
前記服薬指導料金算定用データに基づき料金を算定する料金算定装置へ前記服薬指導料金算定用データを送信する服薬指導料金算定用データ送信処理と、
をコンピュータに実行させるためのプログラムを記録したコンピュータによって読み取り可能な記録媒体。
【発明の詳細な説明】
【技術分野】
【０００１】
本発明は調剤薬局における服薬指導および会計処理を支援するシステムに関する。
【背景技術】
【０００２】
近年、患者が医療機関から渡された処方せんを持って調剤薬局に赴き、調剤薬局から服用すべき薬剤の投薬を受けることが広く行なわれている。調剤薬局は、処方せんに基づき、薬剤を調剤し、患者へ投薬する。さらに、調剤薬局においては、患者の求めや同意により、薬剤師が患者に服薬指導を行なうことがある。
【０００３】
服薬指導を行なう際に患者の薬歴簿を表示するシステム（特許文献１の図６参照）、および服薬指導の内容を示すコメントをペンタブレットにより薬剤師自身に手書きさせるシステム（特許文献１の図６参照）があり、服薬指導の効率を向上させている。
【０００４】
また、調剤薬局における会計処理については、処方せんを２次元コード化したものを読み取り、処方せんデータを取得し、処方せんデータに基づき会計処理を行なうシステム（特許文献２の図３参照）があり、会計処理の効率を向上させている。
【０００５】
【特許文献１】特開２００２−２９７７６８号公報（図６参照）
【特許文献２】特開２００２−９２１６６号公報（図３参照）
【発明の開示】
【発明が解決しようとする課題】
【０００６】
しかしながら、上記のような従来技術においては、会計処理が処方せんデータに基づき行なわれるため、服薬指導を患者等へ請求する料金の算定に反映させることが難しい。
【０００７】
そこで、本発明は、服薬指導を患者等へ請求する料金の算定に反映することを容易に行なうことを課題とする。
【課題を解決するための手段】
【０００８】
請求項１に記載の発明は、服薬指導についての料金を算定するための服薬指導料金算定用データを受理する料金算定用データ受理手段と、服薬指導料金算定用データに基づき料金を算定する料金算定装置へ服薬指導料金算定用データを送信する服薬指導料金算定用データ送信手段とを備えるように構成される。
【０００９】
上記のように構成された発明によれば、料金算定用データ受理手段は、服薬指導についての料金を算定するための服薬指導料金算定用データを受理する。服薬指導料金算定用データ送信手段は、服薬指導料金算定用データに基づき料金を算定する料金算定装置へ服薬指導料金算定用データを送信する。
【００１０】
請求項２に記載の発明は、請求項１に記載の発明であって、服薬指導の内容を表すコメントを受理するコメント受理手段を備え、服薬指導料金算定用データ送信手段は、コメントが受理された後に、服薬指導料金算定用データを送信するように構成される。
【００１１】
請求項３に記載の発明は、請求項２に記載の発明であって、コメント受理手段は、手書きのコメントを受理するように構成される。
【００１２】
請求項４に記載の発明は、請求項２に記載の発明であって、服薬指導料金算定用データ送信装置は携帯可能な情報端末であるように構成される。
【００１３】
請求項５に記載の発明は、請求項１ないし４のいずれか一項に記載の発明であって、服薬指導を行なう患者に関する患者情報を受信する患者情報受信手段と、患者情報を表示器に表示させる患者情報表示手段とを備えるように構成される。
【００１４】
請求項６に記載の発明は、請求項５に記載の発明であって、患者情報は、患者についての処方内容であるように構成される。
【００１５】
請求項７に記載の発明は、請求項５に記載の発明であって、患者情報は、患者が薬剤をどの時点でどれだけ服用したかを示す情報であるように構成される。
【００１６】
請求項８に記載の発明は、請求項７に記載の発明であって、患者情報は、患者が薬剤を服用する形式を示す情報であるように構成される。
【００１７】
請求項９に記載の発明は、請求項５に記載の発明であって、患者情報は、患者にどの時点でどのような服薬指導料の算定を行なったかを示す情報であるように構成される。
【００１８】
請求項１０に記載の発明は、請求項５に記載の発明であって、患者情報は、患者について薬剤服用歴管理を行なっているか否かを示す情報であるように構成される。
【００１９】
請求項１１に記載の発明は、請求項５に記載の発明であって、患者情報は、患者に問診することにより得られた問診情報であるように構成される。
【００２０】
請求項１２に記載の発明は、請求項１ないし４のいずれか一項に記載の発明であって、服薬指導を行なう患者の患者属性を受信する患者属性受信手段と、患者属性を表示器に表示させる患者属性表示手段と、患者属性を指定する患者属性指定手段とを備えるように構成される。
【００２１】
請求項１３に記載の発明は、請求項１２に記載の発明であって、患者属性は、患者について、調剤を行なった時点であるように構成される。
【００２２】
請求項１４に記載の発明は、請求項１２に記載の発明であって、患者属性は、患者について、服薬指導が行なわれたか否かを示す情報であるように構成される。
【００２３】
請求項１５に記載の発明は、請求項１２に記載の発明であって、患者属性は、患者について、会計処理が行なわれたか否かを示す情報であるように構成される。
【００２４】
請求項１６に記載の発明は、請求項１２ないし１５のいずれか一項に記載の発明であって、指定された患者属性に合致する患者リストを受信する患者リスト受信手段と、患者リストを表示器に表示させる患者リスト表示手段とを備えるように構成される。
【００２５】
請求項１７に記載の発明は、請求項１６に記載の発明であって、患者リストは、患者の氏名、患者が診療を受けた医療機関、服薬指導が行なわれたか否かを示す情報および会計処理が行なわれたか否かを示す情報のいずれか一つ以上を表すものであるように構成される。
【００２６】
請求項１８に記載の発明は、服薬指導についての料金を算定するための服薬指導料金算定用データを受理する料金算定用データ受理工程と、服薬指導料金算定用データに基づき料金を算定する料金算定装置へ服薬指導料金算定用データを送信する服薬指導料金算定用データ送信工程とを備えるように構成される。
【００２７】
請求項１９に記載の発明は、服薬指導についての料金を算定するための服薬指導料金算定用データを受理する料金算定用データ受理処理と、服薬指導料金算定用データに基づき料金を算定する料金算定装置へ服薬指導料金算定用データを送信する服薬指導料金算定用データ送信処理とをコンピュータに実行させるためのプログラムである。
【００２８】
請求項２０に記載の発明は、服薬指導についての料金を算定するための服薬指導料金算定用データを受理する料金算定用データ受理処理と、服薬指導料金算定用データに基づき料金を算定する料金算定装置へ服薬指導料金算定用データを送信する服薬指導料金算定用データ送信処理とをコンピュータに実行させるためのプログラムを記録したコンピュータによって読み取り可能な記録媒体である。
【発明を実施するための最良の形態】
【００２９】
以下、本発明の実施形態を図面を参照しながら説明する。
【００３０】
図１は、本発明の実施形態にかかる情報通信端末１０が使用される調剤薬局の概観を示す図である。情報通信端末１０は、主に調剤薬局で用いられる。調剤薬局には、患者１が調剤を求めて訪れる。薬剤師２は患者１から見てカウンタ４の向こう側にいる。また、待合所３は、カウンタ４から見て、患者１と同じ側に配置されている。
【００３１】
薬剤師２は、情報通信端末１０を携帯している。情報通信端末１０は、薬剤師２が携帯可能なものであり、例えばPDA(Personal Digital Assistance)であることが好ましい。なお、図１においては、図示の便宜上、情報通信端末１０は大きめに図示されている。しかし、実際には、情報通信端末１０は薬剤師２の手の平に載るぐらいの小さなものであることが好ましい。
【００３２】
薬剤師２は、料金算定装置２０の傍らにいる。料金算定装置２０は例えばパーソナルコンピュータである。料金算定装置２０には、周辺機器であるプリンタ２２、バーコードリーダ２４が接続されている。なお、本発明の実施形態では、料金算定装置２０の操作者と、薬剤師２とが同じである場合を想定して記載している。しかし、料金算定装置２０の操作者と薬剤師２とが別々であっても、もちろんかまわない。
【００３３】
図２は、調剤薬局における作業の各工程ごとの患者１および薬剤師２などの位置を示す図である。まず、患者１は医療機関から渡された処方せん５を、カウンタ４の上に置き、薬剤師２に見せる（図２（ａ）参照）。処方せん５には、二次元バーコード５ａが印刷されている。薬剤師２は、二次元バーコード５ａに、バーコードリーダ２４をかざして（薬剤師２の手は図示省略する）、処方せん５に記載された処方内容を、料金算定装置２０に記録する。なお、処方せん５に二次元バーコード５ａが印刷されていなければ、料金算定装置２０に付属のキーボード等により、薬剤師２がタイプして入力してもかまわない。
【００３４】
次に、薬剤師２が調剤を行なった後、患者１が薬剤師２に服薬指導を求める。あるいは薬剤師２の服薬指導の勧めを患者１が同意する。すると、薬剤師２が患者１に服薬指導を行なう。このとき、薬剤師２は調剤を行なった薬剤を携行し、患者１を待合所３に案内してから、服薬指導を行なう（図２（ｂ）参照）。服薬指導の際には、患者に関する情報（例えば、患者１へのこれまでの処方内容など）を参照することが有益である。そこで、薬剤師２が携帯する情報通信端末１０に、料金算定装置２０に記録された患者に関する情報を受信させて、情報通信端末１０に表示させる。また、服薬指導（服薬についての相談も含む）を行なった場合には、服薬指導の内容を表す手書きコメントを残すことが行政側の指導により求められている。そこで、情報通信端末１０にペン（図示省略）によりディスプレイ（表示器）に手書きのコメントを書き、料金算定装置２０に送信する。さらに、服薬指導の後に、服薬指導の内容を料金算定装置２０に送信して、服薬指導の料金を算定させる。
【００３５】
服薬指導を終えると、患者１および薬剤師２はカウンタ４に戻る（図２（ｃ）参照）。薬剤師２は、料金算定装置２０に料金（服薬指導の料金と、調剤の料金とを合算したもの）を算定させる。そして、プリンタ２２に料金を記載した請求書６を印刷させ、請求書６を患者１に提示する。患者１は、薬剤師２に請求書６に記載された料金を支払い、調剤された薬剤を薬剤師２から受けとる。
【００３６】
図３は、情報通信端末１０の構成を示すブロック図である。情報通信端末１０は、ＰＨＳ(Personal Handy phone System)１０２、患者属性表示部１１２、患者リスト表示部１１３、患者情報表示部１１４、コメント受理部１１６、表示器１２０、料金算定用データ受理部１３２、患者属性指定受理部１３４、患者指定受理部１３６、キー１４０、服薬指導料金算定用データ送信部１５０を備える。
【００３７】
ＰＨＳ(Personal Handy phone System)１０２は、情報通信端末１０が料金算定装置２０との通信を行なうためのものである。ＰＨＳ１０２は、後述するように、患者属性を受信する患者属性受信手段、患者リストを受信する患者リスト受信手段および患者情報を受信する患者情報受信手段として機能する。なお、情報通信端末１０と料金算定装置２０との通信は、図示省略した電話網を介して行なわれる。なお、ＰＨＳ１０２に変えて、あるいは併用して無線LAN、Bluetoothなどの無線通信技術を実現する装置を利用することはもちろん可能である。
【００３８】
患者属性表示部１１２は、患者属性の送信を料金算定装置２０に要求する。そして、患者属性表示部１１２は、ＰＨＳ１０２が料金算定装置２０から受信した、服薬指導を行なう患者の患者属性を受けて、表示器１２０に表示させる（図６参照）。患者属性は、例えば、患者について、調剤を行なった時点、服薬指導が行なわれたか否かを示す情報および会計処理が行なわれたか否かを示す情報である。
【００３９】
患者リスト表示部１１３は、ＰＨＳ１０２が料金算定装置２０から受信した、患者属性指定受理部１３４により受理された患者属性に合致する患者リストを受けて、表示器１２０に表示させるためのものである（図７参照）。患者リストは、患者の氏名、患者が診療を受けた医療機関、服薬指導が行なわれたか否かを示す情報および会計処理が行なわれたか否かを示す情報のいずれか一つ以上を表すものである。
【００４０】
患者情報表示部１１４は、ＰＨＳ１０２が料金算定装置２０から受信した、服薬指導を行なう患者に関する患者情報を受けて、表示器１２０に表示させるためのものである。患者情報は、例えば、患者についての処方内容（図８参照）、患者が薬剤をどの時点でどれだけ服用したかを示す情報（図９参照）、患者が薬剤を服用する形式（内服、外用など）を示す情報（図９参照）、患者にどの時点でどのような服薬指導料の算定を行なったかを示す情報（図１０参照）、患者について薬剤服用歴管理を行なっているか否かを示す情報（患者の住所、来局情報、その他患者の状況を含めてもよい）（図１１参照）、患者に問診することにより得られた問診情報（図１２参照）である。
【００４１】
コメント受理部１１６は、表示器１２０上でペンにより薬剤師２が手書き入力した手書きコメントを表示器１２０から受けて、服薬指導料金算定用データ送信部１５０に送る。
【００４２】
表示器１２０は、患者属性、患者リスト、患者情報および服薬指導の内容の入力画面（図１４参照）を表示するためのものである。表示器１２０は、例えば、液晶ディスプレイである。しかも、表示器１２０は、その上にペン（例えば、スタイラスペン）を走らせるとペンの軌跡を検出することができるペンタブレットとしての機能も有している。これにより、薬剤師２がペンによりコメントを手書きで入力できる（図１３参照）。
【００４３】
料金算定用データ受理部１３２は、キー１４０から、服薬指導についての料金を算定するための服薬指導料金算定用データを受理する。すなわち、薬剤師２が、服薬指導の内容をキー１４０により入力し、それを服薬指導料金算定用データとして受理する。
【００４４】
患者属性指定受理部１３４は、キー１４０により指定された、服薬指導を行なう患者にあてはまる患者属性を受理し、ＰＨＳ１０２により送信するものである。
【００４５】
患者指定受理部１３６は、表示器１２０に表示された患者リストの内から、キー１４０により指定された、服薬指導を行なう患者を受理し、ＰＨＳ１０２により送信するものである。
【００４６】
キー１４０は、服薬指導料金算定用データ、服薬指導を行なう患者にあてはまる患者属性および服薬指導を行なう患者を入力または指定するためのものである。なお、これらのデータ等の入力は、表示器１２０を介してペンにより行なわせるようにしてもよい。
【００４７】
服薬指導料金算定用データ送信部１５０は、コメント受理部１１６から手書きコメントを、料金算定用データ受理部１３２から服薬指導料金算定用データを受ける。そして、手書きコメントおよび服薬指導料金算定用データを料金算定装置２０へＰＨＳ１０２を介して送信する。なお、コメント受理部１１６から手書きコメントを受理しないならば、服薬指導料金算定用データを料金算定装置２０へ送信しない。これにより、コメント受理部１１６が手書きコメントを受理した後に、服薬指導料金算定用データの送信が行なわれることになる。なお、料金算定装置２０は、服薬指導料金算定用データに基づき患者１に請求する料金等を算定するものである。
【００４８】
図４は、料金算定装置２０の構成を示すブロック図である。料金算定装置２０は、ＰＨＳ(Personal Handy phone System)２０２、患者属性送信部２１２、患者リスト送信部２１３、患者情報送信部２１４、コメント判定部２１６、コメント記録部２１８、患者情報記録部２２０、服薬指導料金算定部２３０、調剤料金算定部２３２、料金集計部２３４、料金記録部２３６、請求書出力部２３８を備える。なお、料金算定装置２０には、プリンタ２２、バーコードリーダ２４が接続されている。
【００４９】
ＰＨＳ(Personal Handy phone System)２０２は、情報通信端末１０から手書きコメントおよび服薬指導料金算定用データを受信する。さらに、情報通信端末１０からの要求を受け、患者属性、患者リストおよび患者情報を情報通信端末１０に送信する。
【００５０】
患者属性送信部２１２は、情報通信端末１０からの要求を受け、患者情報記録部２２０に記録されている患者属性を読み出してＰＨＳ２０２を介して情報通信端末１０に送信する。
【００５１】
患者リスト送信部２１３は、情報通信端末１０から患者属性を受ける。そして、受けた患者属性に合致する患者のリストを患者情報記録部２２０から取得し、ＰＨＳ２０２を介して情報通信端末１０に送信する。
【００５２】
患者情報送信部２１４は、情報通信端末１０から服薬指導を行なう患者を特定する情報を受け、その患者に関する患者情報を患者情報記録部２２０から取得し、ＰＨＳ２０２を介して情報通信端末１０に送信する。
【００５３】
コメント判定部２１６は、情報通信端末１０からＰＨＳ２０２を介して手書きコメントを受信したか否かを判定する。手書きコメントを受信していれば、コメント記録部２１８に手書きコメントを記録させる。そして、服薬指導料金算定部２３０に動作の許可を与える。なお、手書きコメントを受信していなければ、服薬指導料金算定部２３０に動作の許可を与えない。
【００５４】
コメント記録部２１８は、手書きコメントを記録する。
【００５５】
患者情報記録部２２０は、患者についての患者情報を記録する。なお、バーコードリーダ２４によって処方せん５から読み取った処方内容も記録する。
【００５６】
服薬指導料金算定部２３０は、動作の許可が与えられている場合には、情報通信端末１０からＰＨＳ２０２を介して受信した服薬指導料金算定用データに基づき、服薬指導料金を算定する。
【００５７】
調剤料金算定部２３２は、患者情報記録部２２０から処方内容を読み出して、調剤にかかる調剤料金を算定する。なお、服薬指導料金および調剤料金以外の料金で患者等に請求すべきものがあれば算定しておき、調剤料金に含めておくことが好ましい。
【００５８】
料金集計部２３４は、服薬指導料金および調剤料金を集計して、患者に請求する料金を求める。
【００５９】
料金記録部２３６は、料金集計部２３４の出力を記録する。
【００６０】
請求書出力部２３８は、料金記録部２３６に記録された料金をプリンタ２２に出力し、請求書６を印刷させる。
【００６１】
次に、本発明の実施形態の動作を、主に図５のフローチャートを参照して説明する。
【００６２】
まず、患者１が携えてきた処方せん５に記録された二次元バーコード５ａを、料金算定装置２０に接続されたバーコードリーダ２４により読み取る。これにより、料金算定装置２０の患者情報記録部２２０に処方せんに記載された処方内容が入力される（Ｓ２０２）。
【００６３】
患者情報記録部２２０に記録された処方内容は、調剤料金算定部２３２により読み出される。調剤料金算定部２３２は、読み出した処方内容に基づき、調剤にかかる調剤料金を算定する（Ｓ２０５）。
【００６４】
ここで、薬剤師２は情報通信端末１０および調剤した薬剤を携えて、待合所３に患者１を案内してから、服薬指導を行なう。服薬指導の際に、情報通信端末１０を使用する。
【００６５】
まず、情報通信端末１０の患者属性表示部１１２は、患者属性の送信をＰＨＳ１０２を介して料金算定装置２０に要求する（Ｓ１０１）。
【００６６】
患者属性の送信要求は、ＰＨＳ２０２を介して患者属性送信部２１２によって受信される。患者属性送信部２１２は患者情報記録部２２０に記録されている患者属性を読み出してＰＨＳ２０２を介して情報通信端末１０に送信する（Ｓ２０４）。
【００６７】
情報通信端末１０のＰＨＳ１０２は患者属性を受信すると、患者属性表示部１１２に送る。患者属性表示部１１２は受けた患者属性を表示器１２０に表示させる（Ｓ１０２）。図６を参照して、表示器１２０は、患者属性であるカレンダ３０２（調剤を行なった時点を示している）、指導情報３０４（服薬指導が行なわれたか否かを示す）、会計情報３０６（会計処理が行なわれたか否かを示す）を示している。なお、ボタン３０８にカーソルをあわせてキー１４０の内の特定のキー（例えば、エンターキー）を押すと表示されている患者属性を指定できる。これにより、表示されている患者属性を有する患者のリストを表示器１２０に表示させることができる。
【００６８】
図６に示す内容によれば、６月２日に調剤（または会計）が行なわれた患者のリストを表示させることになる。指導情報３０４が「すべて」なので、服薬指導がなされていると否とを問わない。会計情報３０６が「すべて」なので、会計処理がなされていると否とを問わない。
【００６９】
なお、指導情報３０４を「未済（済）」とすることも可能である。この場合は、服薬指導がなされていない（なされている）患者のリストが表示される。また、会計情報３０６を「未済（済）」とすることも可能である。この場合は、会計処理がなされていない（なされている）患者のリストが表示される。
【００７０】
ボタン３０８にカーソルをあわせてキー１４０の内の特定のキー（例えば、エンターキー）を押すと表示されている患者属性を指定できる。この指定内容は、患者属性指定受理部１３４により受理される。そして、ＰＨＳ１０２により料金算定装置２０へ送信される（Ｓ１０４）。
【００７１】
患者リスト送信部２１３は、ＰＨＳ２０２を介して、指定された患者属性を受信する。そして、受けた患者属性に合致する患者のリストを患者情報記録部２２０から取得し、ＰＨＳ２０２を介して情報通信端末１０に送信する（Ｓ２０６）。
【００７２】
情報通信端末１０のＰＨＳ１０２は患者リストを受信すると、患者リスト表示部１１３に送る。患者リスト表示部１１３は受けた患者リストを表示器１２０に表示させる（Ｓ１０６）。図７を参照して、表示器１２０は、患者リスト３０９を表示する。患者リスト３０９は、番号、患者の氏名、患者が診療を受けた医療機関、服薬指導が行なわれたか否かを示す情報および会計処理が行なわれたか否かを示す情報を含んでいる。なお、番号をキー１４０により打つと、その番号に対応した患者を指定したことになる。
【００７３】
指定された患者を特定する情報は、患者指定受理部１３６により受理される。そして、ＰＨＳ１０２により料金算定装置２０へ送信される（Ｓ１０８）。
【００７４】
患者情報送信部２１４は、ＰＨＳ２０２を介して、指定された患者を特定する情報を受信する。そして、その患者に関する患者情報を患者情報記録部２２０から取得し、ＰＨＳ２０２を介して情報通信端末１０に送信する（Ｓ２０８）。
【００７５】
情報通信端末１０のＰＨＳ１０２は患者情報を受信すると、患者情報表示部１１４に送る。患者情報表示部１１４は受けた患者情報を表示器１２０に表示させる（Ｓ１１０）。患者情報には、色々なものがあり、図８〜１２を参照して、表示器１２０の表示内容を説明する。
【００７６】
図８に示すように、患者情報として、患者についての処方内容を表示器１２０に表示させてもよい。
【００７７】
図９に示すように、患者の服薬状況を表示器１２０に表示させてもよい。日付表示バー３１０には、日付３１０ａ、ｂ、ｃが表示されている。日付３１０ａは、ある月の１０日を、日付３１０ｂは、ある月の２０日を、日付３１０ｃは、ある月の３０日を示す。これにより、患者が、ロキソニン錠をある月の２０日まで一日３錠ずつ服用していたことがわかる。また、服用形式欄３１２には、患者が薬剤を服用する形式（内服、外用など）を示す情報が記録されている。図９に示す例では、ロキソニン錠を内服していたことがわかる。
【００７８】
図１０に示すように、患者にどの時点でどのような服薬指導料の算定を行なったかを表示器１２０に表示させてもよい。カレンダ３１４には、服薬指導料の算定を行なった日（５月９日および２６日）が表示されている。そして、服薬指導明細欄３１６には、どのような服薬指導料の算定を行なったが表示されている。図１０に示す例では、５月９日および２６日には、基本、薬歴（薬歴管理指導料）、薬Ｉ（薬剤情報提供料Ｉ）といった料金項目に対応する指導を行なったことが表示されている。なお、このような料金項目は、行政により定められている。そして、行政により定められているルールに基づき服薬指導料の算定が行なえるようになっている。
【００７９】
図１１に示すように、患者について薬剤服用歴管理を行なっているか否かを示す情報を表示器１２０に表示させてもよい。薬歴管理欄３１８に「薬歴管理」とあるので、この患者は薬剤服用歴管理（例えば、重複投薬、薬物アレルギーなどを薬剤師が確認してから、服薬指導を行なう）を受けていることがわかる。
【００８０】
図１２に示すように、患者に問診することにより得られた問診情報を表示器１２０に表示させてもよい。
【００８１】
このように、色々な患者情報を表示器１２０に表示させ、薬剤師２がそれを見て参考にしながら、患者１に服薬指導を行なう。
【００８２】
薬剤師２は服薬指導の内容を、表示器１２０上でペンにより手書き入力し、手書きコメントとして残す。手書きコメントは、例えば図１３に示すようなものであり、表示器１２０に表示した文字、図形上に、ペンを走らせて手書きのコメントを形成する。手書きコメントは、コメント受理部１１６により受理される（Ｓ１１２）。
【００８３】
さらに、薬剤師２は、キー１４０を操作して、図１４に示すような表示器１２０の画面を利用して、服薬指導についての料金を算定するための服薬指導料金算定用データを与える。服薬指導料金算定用データは、図１４に示すように、どのような服薬指導を行なったか（例えば、薬歴管理指導を行なった）に対応する情報である。
【００８４】
服薬指導料金算定用データは、患者属性指定受理部１３４により受理される（Ｓ１１４）。
【００８５】
服薬指導料金算定用データ送信部１５０は、コメント受理部１１６から手書きコメントを、料金算定用データ受理部１３２から服薬指導料金算定用データを受ける。そして、手書きコメントおよび服薬指導料金算定用データを料金算定装置２０へＰＨＳ１０２を介して送信する（Ｓ１１６）。
【００８６】
ここで、薬剤師２は患者１への服薬指導を終え、カウンタ４へ戻る。
【００８７】
なお、コメント受理部１１６から手書きコメントを受理しないならば、服薬指導料金算定用データを料金算定装置２０へ送信しない。これにより、コメント受理部１１６が手書きコメントを受理した後に、服薬指導料金算定用データの送信が行なわれることになる。
【００８８】
手書きコメントはＰＨＳ２０２を介して、コメント判定部２１６に送られる。そして、コメント記録部２１８に記録される。さらに、コメント判定部２１６は、服薬指導料金算定部２３０に動作の許可を与える。服薬指導料金算定部２３０は、動作許可後、ＰＨＳ２０２を介して、服薬指導料金算定用データを受ける。そして、服薬指導料金算定用データに基づき、服薬指導料金を算定する（Ｓ２１２）。
【００８９】
算定された服薬指導料金は、料金記録部２３６に記録される。そして、請求書出力部２３８は、料金記録部２３６に記録された料金をプリンタ２２に出力し、請求書６を印刷させる（Ｓ２１４）。
【００９０】
本発明の実施形態によれば、コメント受理部１１６が手書きコメントを受理した後に、服薬指導料金算定用データ送信部１５０による服薬指導料金算定用データの送信が行なわれることになる。手書きコメントは服薬指導の内容を表すものであるため、手書きコメントが受理されたということは、服薬指導が行なわれたことを意味する。よって、服薬指導が行なわれた後に、服薬指導料金算定用データの送信が行なわれる。したがって、服薬指導が行なわれた後に、服薬指導料金算定部２３０による服薬指導料金の算定が行なわれる。よって、服薬指導を患者等へ請求する料金の算定に反映させることが容易に行える。
【００９１】
さらに、手書きコメントの作成、受理および料金算定用データの作成、受理は、料金算定装置２０のかたわらよりも、服薬指導を行なう場所（待合所３）で行なう方が便利である。本発明の実施形態によれば、コメント受理部１１６および料金算定用データ受理部１３２は情報通信端末１０の一部となり、服薬指導を行なう場所に薬剤師２が携行できる。よって、手書きコメントの作成、受理および料金算定用データの作成、受理に便利である。
【００９２】
なお、これまで、コメントは手書きであり、コメント入力後に料金を算定するということを前提として説明を行なってきた。しかし、コメントは手書きでなくてもよい場合がある。この場合は、キー１４０によりコメントを入力し、そのコメントをコメント受理部１１６が受けるようにしてもよい（図３における、キー１４０からコメント受理部１１６への点線の矢印を参照）。また、コメント入力がなくても料金を算定してよい場合もある。この場合は、服薬指導料金算定用データ送信部１５０は、コメント受理部１１６から手書きコメントを受理しなくても、服薬指導料金算定用データを料金算定装置２０へ送信してよい。
【００９３】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータのメディア読み取り装置に、上記の各部分を実現するプログラムを記録したメディアを読み取らせて、ハードディスクにインストールする。このような方法でも、上記の機能を実現できる。
【図面の簡単な説明】
【００９４】
【図１】本発明の実施形態にかかる情報通信端末１０が使用される調剤薬局の概観を示す図である。
【００９５】
【図２】処方内容の入力（図２（ａ））、服薬指導（図２（ｂ））、会計処理（図２（ｃ））の時点における調剤薬局内の患者１および薬剤師２などの位置を示す図である。
【００９６】
【図３】情報通信端末１０の構成を示すブロック図である。
【００９７】
【図４】料金算定装置２０の構成を示すブロック図である。
【００９８】
【図５】本発明の実施形態の動作を示すフローチャートである。
【００９９】
【図６】患者属性を表示器１２０に表示させたときの表示画面を示す図である。
【０１００】
【図７】患者リストを表示器１２０に表示させたときの表示画面を示す図である。
【０１０１】
【図８】患者情報として、患者についての処方内容を表示器１２０に表示させたときの表示画面を示す図である。
【０１０２】
【図９】患者の服薬状況を表示器１２０に表示させたときの表示画面を示す図である。
【０１０３】
【図１０】患者にどの時点でどのような服薬指導を行なったかを表示器１２０に表示させたときの表示画面を示す図である。
【０１０４】
【図１１】患者について薬剤服用歴管理を行なっているか否かを示す情報を表示器１２０に表示させたときの表示画面を示す図である。
【０１０５】
【図１２】患者に問診することにより得られた問診情報を表示器１２０に表示させたときの表示画面を示す図である。
【０１０６】
【図１３】表示器１２０上に形成した手書きコメントを示す図である。
【０１０７】
【図１４】服薬指導についての料金を算定するための服薬指導料金算定用データを与えるために利用する表示器１２０の画面である。
【符号の説明】
【０１０８】
１  患者
２  薬剤師
３  待合所
４  カウンタ
５  処方せん
５ａ  二次元バーコード
６  請求書
１０  情報通信端末
１０２  ＰＨＳ(Personal Handy phone System)
１１２  患者属性表示部
１１３  患者リスト表示部
１１４  患者情報表示部
１１６  コメント受理部
１２０  表示器
１３２  料金算定用データ受理部
１３４  患者属性指定受理部
１３６  患者指定受理部
１４０  キー
１５０  服薬指導料金算定用データ送信部
２０  料金算定装置
２０２  ＰＨＳ(Personal Handy phone System)
２１２  患者属性送信部
２１３  患者リスト送信部
２１４  患者情報送信部
２１６  コメント判定部
２１８  コメント記録部
２２０  患者情報記録部
２３０  服薬指導料金算定部
２３２  調剤料金算定部
２３４  料金集計部
２３６  料金記録部
２３８  請求書出力部
２２  プリンタ
２４  バーコードリーダ
【図１】
2005038163.tif 000003
【図２】
2005038163.tif 000004
【図３】
2005038163.tif 000005
【図４】
2005038163.tif 000006
【図５】
2005038163.tif 000007
【図６】
2005038163.tif 000008
【図７】
2005038163.tif 000009
【図８】
2005038163.tif 000010
【図９】
2005038163.tif 000011
【図１０】
2005038163.tif 000012
【図１１】
2005038163.tif 000013
【図１２】
2005038163.tif 000014
【図１３】
2005038163.tif 000015
【図１４】
2005038163.tif 000016